(57)【特許請求の範囲】
【請求項１】
外装体の内部に複数の熱交換部に分割された熱交換器を配置し、前記熱交換器を構成する熱交換部同士間に気化式加湿器を挿入する隙間を形成し、この隙間に前記気化式加湿器を挿入配置し、前記熱交換器を構成する熱交換部同士を所定の角度で固定板により固定し、前記固定板の取付部が前記熱交換部の端部に延出し、この端部で前記気化式加湿器を前記取付部にねじで固定したことを特徴とする空気調和装置。
【請求項２】
外装体の内部に複数の熱交換部に分割された熱交換器を配置し、前記熱交換器を構成する熱交換部同士間に気化式加湿器を挿入する隙間を形成し、この隙間に前記気化式加湿器を挿入配置し、前記熱交換器を構成する熱交換部同士を所定の角度で固定板により固定し、前記気化式加湿器を前記固定板の取付部にねじで固定し、前記固定板が爪部を有し、この爪部が前記熱交換部の管板に重なり、この管板と前記爪部とをねじで固定したことを特徴とする空気調和装置。
【発明の詳細な説明】
【０００１】
【発明の属する技術分野】
本発明は、気化式加湿器を備えた空気調和装置に関する。
【０００２】
【従来の技術】
一般に、外装体の内部に複数の熱交換部に分割された熱交換器を配置し、この熱交換器の内側にクロスフローファンを配置した壁掛け形空気調和装置が知られている。この種の空気調和装置では、室内の乾燥を抑制するために、特開平９−２６１５２号公報記載の発明のように、暖房運転時に、温水熱交換器と熱源機との間を循環する温水の一部を、温水熱交換器の表面に滴下して自然蒸発させ、室内を加湿するようにしたものがある。
【０００３】
【発明が解決しようとする課題】
ところが、上記公報記載の空気調和装置では、温水熱交換器の表面で蒸発した温水中のカルキ分が白粉となって、この温水熱交換器の表面に付着してしまう場合がある。このため、温水熱交換器の熱交換効率が低下して、温水熱交換器が短寿命となってしまう恐れがある。また、温水熱交換器の表面で蒸発させる方式では、十分な加湿量を確保することが困難になる。このため熱交換部同士の間に気化式加湿器が挿入配置され、熱交換器により暖められた空気によって加湿するものがあるが、複数の熱交換部に分割された熱交換器と気化式加湿器とを室内ユニットの内部に組み付けるのに手間がかかる。また、熱交換器の隙間から加湿された空気が漏れだしてしまう恐れがある。
【０００４】
本発明の目的は、上述の事情を考慮してなされたものであり、熱交換器と気化式加湿器との室内ユニットへの組み付け作業が容易となり、熱交換器の二次側の加湿された空気の漏洩が防止され、気化式加湿器の着脱が容易となる空気調和装置を提供することにある。
【０００５】
【課題を解決するための手段】
請求項１記載の発明は、外装体の内部に複数の熱交換部に分割された熱交換器を配置し、前記熱交換器を構成する熱交換部同士間に気化式加湿器を挿入する隙間を形成し、この隙間に前記気化式加湿器を挿入配置し、前記熱交換器を構成する熱交換部同士を所定の角度で固定板により固定し、前記固定板の取付部が前記熱交換部の端部に延出し、この端部で前記気化式加湿器を前記取付部にねじで固定したことを特徴とする。
【０００６】
請求項２記載の発明は、外装体の内部に複数の熱交換部に分割された熱交換器を配置し、前記熱交換器を構成する熱交換部同士間に気化式加湿器を挿入する隙間を形成し、この隙間に前記気化式加湿器を挿入配置し、前記熱交換器を構成する熱交換部同士を所定の角度で固定板により固定し、前記気化式加湿器を前記固定板の取付部にねじで固定し、前記固定板の取付部が前記熱交換部の端部に延出し、この端部で前記気化式加湿器を前記取付部にねじで固定したことを特徴とする。
【０００８】
これらの発明では、熱交換器と気化式加湿器とが固定板に取り付けて固定され一体型となることにより強固になり室内ユニットへの組み付け作業が容易となる。また、気化式加湿器を固定板にねじで固定し熱交換部同士間の隙間を塞ぐことにより熱交換器の二次側の加湿された空気の漏洩が防止され、さらにねじの着脱で気化式加湿器が着脱可能となる。
【０００９】
【発明の実施の形態】
以下、本発明の実施の形態を、図面に基づき説明する。
【００１０】
図１は、本発明に係る空気調和装置の一実施の形態を示す回路図である。
【００１１】
この図１に示すように、空気調和装置１０は室外ユニット１１、室内ユニット１２及び給湯ユニット１３を有してなり、室外ユニット１１の室外冷媒配管１４と室内ユニット１２の室内冷媒配管１５とが、連結配管１６及び１７を介して連結されている。
【００１２】
上記室外ユニット１１は室外に配置され、室外冷媒配管１４に圧縮機１８が配設され、この室外冷媒配管１４における圧縮機１８の吸込側にアキュムレータ１９及びマフラ２０が、圧縮機１８の側から順次配設され、また、室外冷媒配管１４における圧縮機１８の吐出側に室外熱交換器２１及び電動膨張弁２２が、圧縮機１８の側から順次配設されて構成される。
【００１３】
室外熱交換器２１には、この室外熱交換器２１へ向かって送風する室外ファン（不図示）が隣接して配置されている。
【００１４】
上記室内ユニット１２は室内に設置され、室内冷媒配管１５に室内冷媒熱交換器２３が配設されるとともに、室内温水熱交換器２４を有して構成される。これらの室内冷媒熱交換器２３及び室内温水熱交換器２４により室内熱交換器２５が構成される。また、室内ユニット１２内では、室内熱交換器２５近傍に、この室内熱交換器２５へ室内空気を送風する、クロスフローファン２６が配置されている（図２参照）。
【００１５】
前記給湯ユニット１３は熱源機２７を有し、この熱源機２７は、熱源機給水配管２８から供給された給水を加熱して温水を作る。この温水は、図示しない蛇口から外部へ放出可能とされるとともに、室内ユニット１２の室内温水熱交換器２４と熱源機２７との間で循環可能とされる。
【００１６】
つまり、熱源機２７と室内温水熱交換器２４は、熱源機２７から室内温水熱交換器２４へ温水を送る温水往き配管２９と、室内温水熱交換器２４から熱源機２７へ温水を戻す温水戻り配管３０とによって接続される。そして、温水往き配管２９に、この温水往き配管２９内を流れる温水の流量を調整する流量可変弁３１が配設されている。熱源機２７から室内温水熱交換器２４へ温水が供給されることによって、この室内温水熱交換器２４を通過する室内空気が熱交換により加熱される。
【００１７】
図示しない制御装置は、同じく図示しないリモートコントローラ等により冷房運転が選択して指令された場合には、流量可変弁３１を閉弁操作させるとともに、室外ユニット１１の圧縮機１８、室外ファン及びクロスフローファン２６を起動させる。これにより、室内ユニット１２の室内冷媒熱交換器２３が蒸発器として機能し、この室内冷媒熱交換器２３により、室内ユニット１２内へ導かれた室内空気が冷却されて室内を冷房する。
【００１８】
また、リモートコントローラ等により暖房運転が選択して指令された場合には、室外ユニット１１の圧縮機１８、室外ファン及びクロスフローファン２６を停止させるとともに、流量可変弁３１を開弁操作させて、熱源機２７からの温水を室内温水熱交換器２４との間で循環させる。この室内温水熱交換器２４により、クロスフローファン２６によって室内ユニット１２内に導かれた室内空気が加熱されて室内を暖房する。
【００１９】
ここで、制御装置は、上述の冷房運転または暖房運転において、室内ユニット１２に設置された室温センサ３２により検出された室内温度が、リモートコントローラ等により設定された設定温度とほぼ一致するように、上記冷房運転または暖房運転を制御する。
【００２０】
室内ユニット１２は部屋の壁等に取り付けられる。この室内ユニット１２は、図２に示すように、主に背面側をリア外装体３５が覆い、主に前面側をフロント外装体３６が覆う。これらのリア外装体３５とフロント外装体３６とが外装体を構成し、この外装体に囲まれた空間内に室内冷媒熱交換器２３、室内温水熱交換器２４及びクロスフローファン２６等が収納される。
【００２１】
フロント外装体３６には空気吸込口３７Ａ、３７Ｂ及び３７Ｃが形成されるとともに、このフロント外装体３６は、リア外装体３５に対し着脱または開閉可能に構成される。また、リア外装体３５とフロント外装体３６との間に空気吹出口３８が形成される。
【００２２】
室内冷媒熱交換器２３は、３つの熱交換部２３Ａ，２３Ｂ，２３Ｃに分割されている。外装体の内部に形成された前面側空間Ａには、第一熱交換部２３Ａが配置され、上面側空間Ｂには、図中でハの字形に第二、第三熱交換部２３Ｂ，２３Ｃが配置され、第三熱交換部２３Ｃの二次側には、室内温水熱交換器２４が重ねて配置されている。そして、これら熱交換器２３，２４の内側にクロスフローファン２６が配置されている。
【００２３】
第一熱交換部２３Ａと第二熱交換部２３Ｂのドレンは前面ドレン受け４１で受けられ、第三熱交換部２３Ｃと室内温水熱交換器２４のドレンは背面ドレン受け４３で受けられる。
【００２４】
本実施形態では、図２中でハの字形に配置された第二熱交換部２３Ｂと室内温水熱交換器２４との間に隙間が形成され、この隙間には、上記クロスフローファン２６で吸引される空気の流れ方向に沿って、気化式加湿器４５が挿入配置されている。この気化式加湿器４５は、図８に示すように、第二熱交換部２３Ｂの幅一杯に延在するケース４６と、このケース４６内に着脱自在に挿入される加湿エレメント４７とを備えて構成される。室内冷媒熱交換器２３の第二熱交換部２３Ｂと室内温水熱交換器２４との接合一端側１０１には固定板４９が配置され、室内冷媒熱交換器２３と室内温水熱交換器２４との接合他端側１０２には固定板５１が配置される。
【００２５】
固定板４９は、図５、図６及び図７に示すように、取付部７１と、爪部７２，７３，７４，７５と、角度規制部７６と、立ち下がり部７７と、延出部７８とを備えて構成される。角度規制部７６の一辺７６Ａには爪部７４，７５が接続される。この角度規制部７６の他辺７６Ｂには立ち下がり幅Ｗを有する立ち下がり部７７が接続され、この立ち下がり部７７の先端縁７７Ａには爪部７２，７３が接続される。角度規制部７６の一辺７６Ａとこの他辺７６Ｂとは角度Ｅを呈して成る。取付部７１は立ち下がり部７７からそれと同じ幅Ｗで延びる延出部７８に接続され、この取付部７１は室内温水熱交換器２４の上縁の端部に延出して形成されるため、後述する取付部７１のねじ止め作業が容易になる。取付部７１にはねじ孔７１Ａが設けられ、固定板４９の爪部７２，７３にはねじ孔７２Ａ，７３Ａがそれぞれ設けられている。
【００２６】
第二熱交換部２３Ｂは、図４に示すように、第二熱交換部２３Ｂの管板３３の内側に固定板４９の爪部７４，７５を差し込むことより、固定板４９の角度規制部７６に連結される。室内温水熱交換器２４の管板８０にはねじ孔８０Ａ，８０Ｂが設けられており、固定板４９の爪部７２，７３は室内温水熱交換器２４の管板８０に重なって配置されることにより、管板８０のねじ孔８０Ａ，８０Ｂと固定板４９の爪部７２，７３のねじ孔７２Ａ，７３Ａとが整合し、ねじ５５Ａ，５５Ｂ（図８）により室内温水熱交換器２４が固定板４９に固定される。よって、第二熱交換部２３Ｂと室内温水熱交換器２４との角度は、固定板４９の角度規制部７６の角度Ｅで規制される。固定板４９は立ち下がり部７７を有するため、この立ち下がり部７７が立ち下がり幅Ｗで室内温水熱交換器２４に接触し、よって室内温水熱交換器２４は固定板４９に強固に固定される。
【００２７】
固定板５１には図示しないＵベンドの通過する図示しない複数の孔が設けられており、この固定板５１の上部にはねじ孔５１Ｂが設けられている。この固定板５１は室内冷媒熱交換器２３と室内温水熱交換器２４とのＵベンドが跨るように配置され、室内冷媒熱交換器２３と室内温水熱交換器２４とが固定板５１に固定される。よって、複数に分割された室内冷媒熱交換器２３の熱交換部２３Ａ，２３Ｂ，２３Ｃと室内温水熱交換器２４とは固定板５１により強固に固定される。
【００２８】
ケース４６は、第二交換部２３Ｂと室内温水熱交換器２４との上縁に係止されるフランジ５２，５３を備え、フランジ５３の両側には、図８に示すように、ねじ孔５３Ａ，５３Ｂが設けられている。このフランジ５２，５３は例えば軟質樹脂で構成される。このフランジ５２，５３により第二熱交換部２３Ｂと室内温水熱交換器２４との隙間が密閉される。さらにフランジ５３の両側のねじ孔５３Ａ，５３Ｂと固定板４９の取付部７１のねじ孔７１Ａと固定板５１のねじ孔５１Ｂとが整合し、ねじ５４Ａ，５４Ｂにより固定される。よって、第二熱交換部２３Ｂと室内温水熱交換器２４との隙間からの空気漏れはなく、気化式加湿器４５が固定板４９，５１に取り付けて固定される。
【００２９】
上記ケース４６には、図２及び図３に示すように、ドーム状頭部４６Ａが形成され、このドーム状頭部４６Ａ内に散水管４６Ｂが配設されている。この散水管４６Ｂは、図５に示すように、配管５６を介して、熱源機２７へ供給される給水の一部を導く加湿給水配管４０（図１）が接続され、この加湿給水配管４０には熱動弁４４が接続されている。
【００３０】
この加湿給水配管４０は、熱源機２７から温水熱交換器２４へ温水を送る温水往き配管２９と、温水熱交換器２４から熱源機２７へ温水を戻す温水戻し配管３０との少なくとも一方に接触して配設されることが望ましい。
【００３１】
散水管４６Ｂからの温水は、ドーム状頭部４６Ａのドーム形状内壁に衝突した後、このドーム形状に沿って流出し、傾斜して配置された加湿エレメント４７に滴下される。これにより、加湿エレメント４７への確実な滴下が確保される。ここに滴下された温水は、熱交換器２３，２４を経た暖気を加湿し、残留水は、残留水受け部４６Ｃに受けられる。この残留水受け部４６Ｃに集められた残留水は、残留水水路４６Ｄを通じて、第三熱交換部２３Ｃの背面ドレン受け４３に回収される。なお、残留水水路４６Ｄは、図８からも明らかなように、風路内に突出しないように、上記ケース４６の両端部に形成される。
【００３２】
上記加湿エレメント４７は、エレメントホルダー４８に収納され、このエレメントホルダー４８には把手４８Ａが形成される。そして、図３に示すように、フロント外装体３６を開いた場合、外装体の前面にはこの加湿エレメント４７がエレメントホルダー４８ごと取出し可能に臨んでいる。
【００３３】
加湿エレメント４７は、スポンジ等のように水分を含みやすい材質から構成される。この加湿エレメント４７を空気が通過する時に、加湿エレメント４７内の水が自然蒸発されて、空気吹出口３８から室内へ吹き出される空気が加湿される。この加湿は、主に空気調和装置１０の暖房運転時に実施される。
【００３４】
この加湿エレメント４７へ給水する前記加湿給水配管４０は、図１に示すように、熱源機給水配管２８から分岐されたものであり、熱源機給水配管２８へ供給される前の清浄な給水を加湿エレメント４７へ導く。また、この加湿給水配管４０には、この加湿給水配管４０内を流れる水の流量を調整する熱動弁４４が配設されている。この熱動弁４４の開度調整により、加湿エレメント４７へ供給される水の供給量が制御される。
【００３５】
図示しない制御装置は、同じく図示しないリモートコントローラ等により加湿運転が選択して指令されたときに、熱動弁４４を開弁操作する。そして、制御装置は、室内ユニット１２に設置された湿度センサ４２にて検出された室内湿度が、リモートコントローラ等に設定された設定湿度とほぼ一致するように、熱動弁４４の開度を調整する。
【００３６】
上述のように構成されたことから、上記実施の形態によれば次の効果▲１▼〜▲３▼を奏する。
【００３７】
▲１▼室内冷媒熱交換器２３の第二熱交換部２３Ｂと室内温水熱交換器２４と気化式加湿器４５とが固定板４９に取り付けて固定され、室内冷媒熱交換器２３の各熱交換部２３Ａ，２３Ｂ，２３Ｃと室内温水熱交換器２４とが固定板５１に取り付けて固定され一体型となることにより強固になり室内ユニットへの組み付け作業が容易となる。
【００３８】
▲２▼第二熱交換部２３Ｂと室内温水熱交換器２４との隙間に気化式加湿器４５を挿入配置し、気化式加湿器４５のフランジ５２，５３により隙間を塞ぎ、フランジ５３をねじ５４Ａ，５４Ｂで固定することによって、室内熱交換器２５の二次側の加湿された空気の漏洩が防止される。
【００３９】
▲３▼ねじ５４Ａ，５４Ｂの着脱によって、気化式加湿器４５は着脱可能となり、容易に交換することができる。
【００４０】
以上、本発明を上記実施の形態に基づいて説明したが、本発明はこれに限定されるものではない。
【００４１】
例えば、第一熱交換部２３Ａと第二熱交換部２３Ｂとの間に隙間を形成し、そこに気化式加湿器４５を挿入配置してもよい。
【００４２】
第二熱交換部２３Ｂと室内温水熱交換器２４とが固定板４９により固定される場合を述べたが、室内温水熱交換器２４が第三熱交換部２３Ｃの一次側に配置され、第二熱交換部２３Ｂと第三熱交換部２３Ｃとが固定板４９により固定されるものであってもよい。
【００４３】
加湿給水配管４０は、温水往き配管２９及び温水戻り配管３０の両者に接触されるものを述べたが、これら温水往き配管２９と温水戻り配管３０のいずれか一方に接触されてもよい。また、上記空気調和装置１０では、給湯ユニット１３は室外ユニット１１と別体に設置されたものを述べたが、室外ユニット１１内に配置されてもよい。更に、熱動弁４４は、制御装置により開度が調整される通常の制御弁であってもよい。
【００４４】
【発明の効果】
これらの発明では、熱交換器と気化式加湿器との室内ユニットへの組み付け作業が容易となり、熱交換器の二次側の加湿された空気の漏洩が防止され、気化式加湿器の着脱が容易となる。
【図面の簡単な説明】
【図１】本発明に係る空気調和装置の一実施の形態を示す回路図である。
【図２】図１の空気調和装置の室内ユニットを示す断面図である。
【図３】図１の空調調和装置の室内ユニットを示す断面図である。
【図４】固定板の取付部分の拡大図である。
【図５】固定板の正面図である。
【図６】図５における矢印Ｃから見た固定板の側面図である。
【図７】図５における矢印Ｄから見た固定板の端面図である。
【図８】気化式加湿器を示す分解斜視図である。
【符号の説明】
１０  空気調和装置
１２  室内ユニット
２３  室内冷媒熱交換器
２３Ａ，２３Ｂ，２３Ｃ  熱交換部
２４  室内温水熱交換器
２５  室内熱交換器
３５  リア外装体
３６  フロント外装体
４５  気化式加湿器
４６  ケース
４７  加湿エレメント
４９  固定板
５１  固定板
５４Ａ，５４Ｂ  ねじ
５５Ａ，５５Ｂ  ねじ
７１  取付部
７２，７３，７４，７５  爪部
７８  延出部
８０  管板
【図１】
0004462773.tif 000002
【図２】
0004462773.tif 000003
【図３】
0004462773.tif 000004
【図４】
0004462773.tif 000005
【図５】
0004462773.tif 000006
【図６】
0004462773.tif 000007
【図７】
0004462773.tif 000008
【図８】
0004462773.tif 000009